(57)【要約】【課題】両手の使い方が最適で、脇が締まり、腰の回転を使ったスイングを会得することができるゴルフ練習クラブを提供する。【解決手段】ゴルフ練習クラブ１に、基準面６に対して所定位置に形成された打撃面５を有する打撃部４と、打撃部４から基準面６に沿って所定方向へ延びるシャフト部２と、シャフト部２の先端から同軸状に延設される第一軸部１０と、第一軸部１０の先端から所定距離離れて同軸状に配置される第二軸部２０と、第二軸部２０の基端と第一軸部１０の先端とを連結し、第二軸部２０が第一軸部１０に対して基準面６の垂直方向で且つシャフト部２の軸方向に対して垂直方向へ撓むように弾性変形可能とされた可撓部３０と、可撓部３０を含む第二軸部２０の先端からシャフト部２の先端までの外周を被覆する被覆部３とを主に備える。【選択図】図３
2011156242.tif 000002
【特許請求の範囲】
【請求項１】
基準面に対して所定位置に形成された打撃面を有する打撃部と、
該打撃部から前記基準面に沿って所定方向へ延びるシャフト部と、
該シャフト部の先端から同軸状に延設される第一軸部と、
該第一軸部の先端から所定距離離れて同軸状に配置される第二軸部と、
該第二軸部の基端と前記第一軸部の先端とを連結し、前記第二軸部が前記第一軸部に対して前記基準面の垂直方向で且つ前記シャフト部の軸方向に対して垂直方向へ撓むように弾性変形可能とされた可撓部と、
該可撓部を含む前記第二軸部の先端から前記シャフト部の先端までの外周を被覆する被覆部と
を具備することを特徴とするゴルフ練習クラブ。
【請求項２】
前記第一軸部に対する前記第二軸部の撓み量を規制する規制手段を更に具備することを特徴とする請求項１に記載のゴルフ練習クラブ。
【請求項３】
前記可撓部の両端に前記第一軸部及び前記第二軸部を取付けるための棒状の取付部材を更に具備し、
前記第一軸部及び前記第二軸部は、
先端及び基端に夫々前記取付部材が取付けられる取付部を備え、
前記可撓部は、
両端に前記取付部材が挿入される円形状の連結孔を有し、前記基準面と平行に延びた板状で前記シャフト部に沿って配置される第一弾性部材と、
該第一弾性部材の前記連結孔と同軸状に配置された前記取付部材が挿入される前記シャフト部の軸方向へ延びた長孔状の挿入孔を有し、前記第一弾性部材と平行に配置される少なくとも一つの板状の第二弾性部材と
を備えていることを特徴とする請求項１又は請求項２に記載のゴルフ練習クラブ。
【請求項４】
前記規制手段は、
前記第二弾性部材における前記挿入孔の長手方向の端部が、前記取付部材に当接することで撓み量を規制することを特徴とする請求項３に記載のゴルフ練習クラブ。
【発明の詳細な説明】
【技術分野】
【０００１】
本発明は、ゴルフの理想的なスイングを会得するためのゴルフ練習クラブに関するものである。
【背景技術】
【０００２】
従来から、ゴルフの練習をする場合、ゴルフの解説書等を読んだり、レッスンプロに指導を受けたりしている。しかしながら、ゴルフの解説書等を読んで理屈を学んでも、理想的なスイングを会得するのは困難であった。また、レッスンプロの指導では、指導料の費用がかかる上に、指導者との都合の兼ね合いなどによって指導を伴った練習時間が限られており、有効な練習時間を設定できる自由度が低い問題があった。
【０００３】
そこで、ゴルフを練習する使用者の腰の位置を固定する保持具と、保持具に支持された使用者を中心とする理想的なスイングの軌跡と略一致した円形のガイドループと、ガイドループに案内されるスイングシャフトと、を備えたゴルフ練習器が提案されている（例えば、特許文献１）。この練習器によると、保持具に支持された使用者がスイングシャフトを振り回すことで強制的に理想的なスイングを行うことができるようになっている。
【０００４】
しかしながら、特許文献１のものは、練習器が大掛かりで高価であると共に、練習器を設置する場所が必要となる問題があった。そこで、スイングシャフト内に、所定長の伸長ばねと、伸長ばねに連接された所定長の圧縮ばねと、を備えたものが提案されている（例えば、特許文献２）。この練習具は、理想的なスイングでスイングシャフトを振ると、ばねの伸縮により特定の音が出るようになっており、理想的なスイングか否かを聴覚的に知らせることができるようになっている。
【発明の概要】
【発明が解決しようとする課題】
【０００５】
ところで、理想的なスイングとしては、脇を締めて腰の回転でスイングを行うだけでなく、両手の使い方も重要であり、ゴルフボールを打撃するインパクトの手前まで押し手（右利きの場合は右手）に力を入れ過ぎないように引き手（右利きの場合は左手）を先行させ、インパクト後に徐々に押し手を先行させていくことが望ましい使い方とされている。
つまり、ゴルフクラブを握った両手の夫々の軸（握軸とも称す）が折れ曲がらずに真直ぐと同軸上に推移するようなスイングを行うことが望ましい。
【０００６】
しかしながら、従来のものでは、引き手或いは押し手に力が入り過ぎても、スイングシャフトは曲がらず両手の夫々の握軸が強制的に同軸上に位置するので、両手の力の入れ具合が理想的な状態であるか否かが判り難く、理想的でない力の入れ具合で練習してしまう問題があった。そのため、たとえスイングの軌跡が理想的な軌跡であっても、実際にゴルフボールを打つと、理想的な弾道（飛距離）を得ることができなかった。
【０００７】
そこで、本発明は上記実情に鑑み、両手の使い方が最適で、脇が締まり、腰の回転を使ったスイングを会得することができるゴルフ練習クラブを提供することを課題とするものである。
【課題を解決するための手段】
【０００８】
上記の課題を解決するため、本発明のゴルフ練習クラブは、
「基準面に対して所定位置に形成された打撃面を有する打撃部と、
該打撃部から前記基準面に沿って所定方向へ延びるシャフト部と、
該シャフト部の先端から同軸状に延設される第一軸部と、
該第一軸部の先端から所定距離離れて同軸状に配置される第二軸部と、
該第二軸部の基端と前記第一軸部の先端とを連結し、前記第二軸部が前記第一軸部に対して前記基準面の垂直方向で且つ前記シャフト部の軸方向に対して垂直方向へ撓むように弾性変形可能とされた可撓部と、
該可撓部を含む前記第二軸部の先端から前記シャフト部の先端までの外周を被覆する被覆部と
を具備する」
ことを特徴として主に構成されている。
【０００９】
ここで、基準面は、ゴルフボールを打撃するインパクトの位置におけるスイング方向と直交する面のことである。また、打撃面は、ゴルフボールを打撃する面であり、この打撃面は、基準面に対する所定角度（ロフト角）がクラブの種類毎に設定されており、このロフト角により打球の飛び出し角度が変化する。
【００１０】
また、第一軸部は、シャフト部の先端から同軸状に延設されていれば良く、シャフト部と別体であったり、シャフト部と一体であっても良い。
【００１１】
また、可撓部は、インパクトの位置におけるシャフト部に対して基準面の垂直方向（スイング方向とも称す）にだけ撓むと共に、弾性変形させる荷重が無くなった場合、第二軸部を第一軸部の同軸状に復帰させるものであれば良く、例えば、基準面と平行に延びる板バネや、基準面と平行で且つシャフト部の軸方向に垂直な軸を有するヒンジと、第二軸部を第一軸部に対して同軸状に復帰させる弾性部材とを備えたものであっても良い。
【００１２】
また、可撓部の連結は、取外不能、或いは取外可能としても良い。取外不能とした場合は、連結部分の強度を向上させることができ、破損し難くすることができる。また、取外可能とした場合は、破損しても破損した部材の交換ができ、修理をすることができる。
【００１３】
また、被覆部は、被覆することによって、クラブのグリップを形成するものであれば良く、例えば、一端が塞がれた円筒形状のものを被せたり、テープ状のものを巻いたりして形成しても良い。また、その材質は、滑り難いものが望ましく、例えば、ゴム、皮、布等が挙げられる。なお、被覆部の表面に、可撓部の位置を示す線等のマーキングを備えるようにしても良く、これにより、使用者に対して可撓部の位置を判り易くすることができ、正しい位置で被覆部（グリップ）を握らせることができる。
【００１４】
本発明のゴルフ練習クラブを用いる場合、使用者は、引き手と押し手との間に可撓部が位置するように、被覆部（グリップ）を握って使用する。そして、理想的なスイングを行うと、グリップを握った両手の夫々の握軸が折れ曲がらずに真直ぐと同軸上に推移するので、可撓部も撓むことが無く違和感無くスムーズにスイングすることができる。これに対して、理想的ではないスイングを行うと、何れかの手に力が入り過ぎることで両手の夫々の握軸が折れ曲がって可撓部が撓んでしまうので、使用者に対して違和感を与えることができる。この可撓部が撓む具体的な例としては、例えば、クラブを引き上げたトップの位置では、脇が開くことで、押し手に対して引き手が体の外側に傾いたり、クラブを振り下ろすダウンスイングでは、押し手に力が入り過ぎることで、引き手に対して押し手が先行したり、インパクト以後では、腰の回転を使用しないで振り切れなくなることで、押し手が傾いてしまったりすると、可撓部で撓みが生じて使用者に違和感を与えることができる。
【００１５】
このように、理想的ではないスイングを行うと、可撓部が撓んで使用者に違和感を与えることができるので、使用者に対して最適な両手の使い方（力の入れ方や、夫々の手の向き等）を意識させることができ、グリップを握った両手の夫々の握軸が折れ曲がらずに真直ぐと同軸上に推移するように心がけてスイングさせることができると同時に、両手の夫々の握軸が折れ曲がらずに真直ぐと同軸上に推移させることで、自然と使用者の脇が締まると共に腰の回転を使うようになり理想的なスイングを行わせる（会得させる）ことができる。
【００１６】
また、本発明は、打撃面を有する打撃部がゴルフクラブのヘッドに相当しており、一般のゴルフのクラブと同様の形態となっており、特許文献１のものとは異なって、設置場所（練習場）を必要とせず、携帯してどこでも練習することができると共に、素振りだけでは無く、実際にゴルフボールを打撃することが可能であるので、特許文献２のものとは異なり、弾道を確認しながら理想的な力の入れ具合を練習することができる。
【００１７】
なお、可撓部がスイング方向にだけ撓むのではなく、あらゆる方向に弾性変形可能な可撓部とした場合は、第二軸部を握る引き手だけではグリップを真直ぐに握ることが難しくなるので、理想的なスイングを練習し難いものになる。しかしながら、本発明のゴルフ練習クラブでは、可撓部がスイング方向へのみ可撓するので、クラブを構えた姿勢において、引き手だけでグリップを真直ぐに握ることが可能となり、グリップに対する引き手の真直ぐな位置が認識できるため、両手でグリップを真直ぐ握ることができ、上述した問題点を解決することができる。
【００１８】
従って、本発明のゴルフ練習クラブによれば、グリップにスイング方向へのみ可撓する可撓部を有することにより、理想的でないスイングをすると可撓部が撓んで、使用者に違和感を与えることができるため、使用者に最適な両手の使い方を意識させることができ、使用者が違和感を感じないようにスイングを練習することによって、両手の使い方が最適で、脇が締まり、腰の回転を使った理想的なスイングを会得することができる。
【００１９】
更に、本発明のゴルフ練習クラブは、上記構成に加え、
「前記第一軸部に対する前記第二軸部の撓み量を規制する規制手段を更に具備する」ものであっても構わない。
【００２０】
ここで、規制手段は、第一軸部に対する第二軸部の撓み量を規制するものであれば良く、例えば、「第一軸部及び第二軸部は、先端及び基端に夫々取付部材が取付けられる取付部を備え、可撓部は、両端に取付部材が挿入される円形状の連結孔を有し、基準面と平行に延びた板状でシャフト部に沿って配置される第一弾性部材と、第一弾性部材の連結孔と同軸状に配置された取付部材が挿入されるシャフト部の軸方向へ延びた長孔状の挿入孔を有し、第一弾性部材と平行に配置される少なくとも一つの板状の第二弾性部材とを備え、可撓部が撓んだ時に挿入孔の長手方向の端面に取付部材が当接して撓みが規制されるもの」であったり、「基準面と平行で且つシャフト部の軸方向に垂直な軸を有するヒンジと、ヒンジの外周に配置されるコイルバネとを備え、可撓部が撓んだ時にコイルバネの内側が縮んでコイルの線同士が当接して撓みが規制されるもの」であっても良い。
【００２１】
従って、本発明のゴルフ練習クラブによれば、規制手段を具備することで、許容以上の撓みを生じさせる力が働いた場合、撓み量を規制することができ、可撓部の破損を防止することができる。
【００２２】
更に、本発明のゴルフ練習クラブは、上記構成に加え、
「前記可撓部の両端に前記第一軸部及び前記第二軸部を取付けるための棒状の取付部材を更に具備し、
前記第一軸部及び前記第二軸部は、
先端及び基端に夫々前記取付部材が取付けられる取付部を備え、
前記可撓部は、
両端に前記取付部材が挿入される円形状の連結孔を有し、前記基準面と平行に延びた板状で前記シャフト部に沿って配置される第一弾性部材と、
該第一弾性部材の前記連結孔と同軸状に配置された前記取付部材が挿入される前記シャフト部の軸方向へ延びた長孔状の挿入孔を有し、前記第一弾性部材と平行に配置される少なくとも一つの板状の第二弾性部材と
を備えている」ものであっても構わない。
【００２３】
ここで、取付部材は、第一軸部及び第二軸部の軸方向と垂直方向を向くように配置される。また、取付部は、取付部材が取付けられる形状であれば良く、例えば、第一軸部及び第二軸部の外周面に取付部材と同径の孔を穿設したり、取付用の螺子孔を形成したものであっても良い。
【００２４】
また、第二弾性部材は、複数配置しても良く、例えば、第一弾性部材を中央として、その両側に重ねて配置しても良いし、第一弾性部材の片側のみに重ねて配置しても良い。
【００２５】
また、連結孔は、複数形成されていても良く、取り付けられる取付部材の数に応じて形成すれば良い。また、一つの取付部に対して少なくとも二つの取付部材を取付けても良く、これにより、可撓部が取付部材を中心として回転するのを防止することができる。
【００２６】
また、挿入孔は、連結孔を長孔の長手方向の中央近傍となるように連結孔と重ねられる。これにより、可撓部に撓みを生じた場合、第一弾性部材と第二弾性部材とで曲率半径が異なるため、挿入孔と連結孔との中心が長手方向にずれることとなるが、挿入孔を長孔状としているので、連結孔と同軸の取付部材が挿入孔内で相対的にスライドすることができ、可撓部を撓ませることができる。
【００２７】
従って、本発明のゴルフ練習クラブによれば、可撓部を板状の弾性部材とすることにより、簡単な構成で撓み方向を第二軸部が第一軸部に対して基準面の垂直方向で且つシャフト部の軸方向に対して垂直方向（スイング方向）とすることができると共に、可撓部として、ヒンジと弾性部材とを組合せたものと比較して部品点数を少なくすることができる。
【００２８】
更に、本発明のゴルフ練習クラブは、上記構成に加え、
「前記規制手段は、
前記第二弾性部材における前記挿入孔の長手方向の端部が、前記取付部材に当接することで撓み量を規制する」ものであっても構わない。
【００２９】
ところで、可撓部に撓みが生じると、上述したように、第一弾性部材と第二弾性部材とでは曲率半径が異なるので、挿入孔と連結孔の中心が長手方向へずれて長孔状の挿入孔内で連結孔と同軸の取付部材が相対的にスライドすることとなる。そして、取付部材が挿入孔の端部に当接すると、取付部材がこれ以上スライドすることができなくなるので、第二弾性部材がこれ以上曲がる（撓む）ことができなくなり、可撓部の撓み量が規制されることとなる。従って、本発明のゴルフ練習クラブによれば、規制手段として、第二弾性部材における挿入孔の長手方向の端部に取付部材が当接することで撓み量を規制するものとしているので、別途、規制手段としての部材を備える必要が無く、ゴルフ練習クラブに係る部品点数を低減させることができ、コストを抑制することができる。
【発明の効果】
【００３０】
本発明の効果として、両手の使い方が最適で、脇が締まり、腰の回転を使ったスイングを会得することができるゴルフ練習クラブを提供することができる。
【図面の簡単な説明】
【００３１】
【図１】本発明の一実施形態であるゴルフ練習クラブを示す斜視図である。
【図２】図１のゴルフ練習クラブの要部を拡大して示す断面図である。
【図３】図２において可撓部が撓んだ状態を示す断面図である。
【図４】図１のゴルフ練習クラブの要部を分解して示す斜視図である。
【図５】図１とは異なる本発明のゴルフ練習クラブの他の例を示す斜視図である。
【発明を実施するための形態】
【００３２】
以下、本発明の一実施形態であるゴルフ練習クラブ１について、図１乃至図５に基づいて説明する。ここで、図１は本発明の一実施形態であるゴルフ練習クラブを示す斜視図であり、図２は図１のゴルフ練習クラブの要部を拡大して示す断面図であり、図３は図２において可撓部が撓んだ状態を示す断面図であり、図４は図１のゴルフ練習クラブの要部を分解して示す斜視図であり、図５は図１とは異なる本発明のゴルフ練習クラブの他の例を示す斜視図である。
【００３３】
本実施形態のゴルフ練習クラブ１は、理想的なスイングを会得するためのものであり、図１乃至図４に示すように、基準面６に対して所定位置に形成された打撃面５を有する打撃部４と、打撃部４から基準面６に沿って所定方向へ延びるシャフト部２と、シャフト部２の先端から同軸状に延設される第一軸部１０と、第一軸部１０の先端から所定距離離れて同軸状に配置される第二軸部２０と、第二軸部２０の基端と第一軸部１０の先端とを連結し、第二軸部２０が第一軸部１０に対して基準面６の垂直方向で且つシャフト部２の軸方向に対して垂直方向へ撓むように弾性変形可能とされた可撓部３０と、可撓部３０を含む第二軸部２０の先端からシャフト部２の先端までの外周を被覆する被覆部３と、可撓部３０の両端に第一軸部１０及び第二軸部２０を取付けるための棒状の取付部材３３と、を具備するものである。
【００３４】
本例のゴルフ練習クラブ１の打撃部４は、図１及び図２に示すように、一般的に使用されているゴルフクラブの種類におけるウッドと同様の形態であり、ゴルフボールを打撃するインパクトの位置における打撃部４のスイング方向と垂直に交わる基準面６に対して所定角度とされた打撃面５を有する。また、本例のゴルフ練習クラブ１のシャフト部２は、先端が開口した中空状であり、材質は炭素繊維強化樹脂（カーボングラファイト）にて形成されている。
【００３５】
本例のゴルフ練習クラブ１の第一軸部１０は、シャフト部２と別体であり、図２乃至図４に示すように、円柱状の第一軸本体１１と、第一軸本体１１が内部に挿入され外径がシャフト部２とほぼ同径である円筒状の第一軸ケース１２と、を備えている。第一軸本体１１は、シャフト２から遠い方の端面である先端面の中央近傍に先端面側が開放され基準面６と平行な対向する面を有した溝形状の第一溝部１３と、第一溝部１３を通過するように第一軸本体１１を基準面６の直交方向に貫通して第一軸本体１１の長手方向に並んで穿設される一対の第一取付孔１４と、を備えている。この第一軸部１０は、先端面とは反対側の他端側が中空状のシャフト部２の先端に挿入固着されている。
【００３６】
また、ゴルフ練習クラブ１の第二軸部２０は、図２乃至図４に示すように、第一軸部１０と同様に、円柱状の第二軸本体２１と、第二軸本体２１が内部に挿入され外径がシャフト部２とほぼ同径である円筒状の第二軸ケース２２と、を備えている。第二軸本体２１は、シャフト２から近い方の端面である基端面の中央近傍に基端面側が開放され基準面６と平行な対向する面を有した溝形状の第二溝部２３と、第二溝部２３を通過するように第二軸本体２１を基準面６の直交方向に貫通して第二軸本体２１の長手方向に並んで穿設される一対の第二取付孔２４と、を備えている。この第二軸部２０は、第二溝部２３が第一溝部１３と向かい合うように配置される。
【００３７】
また、ゴルフ練習クラブ１の可撓部３０は、図２乃至図４に示すように、両端に取付部材３３が挿入される一対の円形状の連結孔３６を有し、基準面６と平行に延びた板状でシャフト部２に沿って配置される第一弾性部材３１と、第一弾性部材３１の連結孔３６と同軸状に配置された取付部材３３が挿入されるシャフト部２の軸方向へ延びた一対の長孔状の挿入孔３７を有し、第一弾性部材３１の両面に夫々３つ重ねられた板状の第二弾性部材３２と、を備えている。このため、可撓部３０は、第二軸部２０が第一軸部１０に対して基準面６の垂直方向で且つシャフト部２の軸方向に対して垂直方向へ撓むように弾性変形することができるようになっている。
【００３８】
連結孔３６及び挿入孔３７は、第一弾性部材３１及び第二弾性部材３２の両端に一対ずつ第一弾性部材３１及び第二弾性部材３２の長手方向に並んで形成され、一対の芯間距離は、第一軸本体１１及び第二軸本体２１に穿設される第一取付孔１４及び第二取付孔２４の芯間距離と等しいものとなっている。また、第二弾性部材３２が第一弾性部材３１に重ねられた状態では、長孔である挿入孔３７の長手方向の中央近傍に連結孔３６が位置する。これにより、可撓部３０に撓みを生じた場合、図３に示すように、第一弾性部材３１と第二弾性部材３２とで曲率半径が異なるため、挿入孔３７と連結孔３６との中心が長手方向にずれることとなるが、挿入孔３７を長孔状としているので、連結孔３６と同軸の取付部材３３が挿入孔３７内で相対的にスライドすることができ、可撓部３０を撓ませることができる。
【００３９】
また、可撓部３０に対する第一軸部１０及び第二軸部２０の連結は、第一軸本体１１では、第一溝部１３に第一弾性部材３１の端部と、第一弾性部材３１の両面に夫々３つ重ねた第二弾性部材３２の端部と、が差し込まれ、一対の取付部材３３が第一取付孔１４、挿入孔３７、及び連結孔３６に挿入されることで連結される。また、第二軸本体２１でも同様に、第二溝部２３に第一弾性部材３１の他端部と、第一弾性部材３１の両面に夫々３つ重ねた第二弾性部材３２の他端部と、が差し込まれ、一対の取付部材３３が第二取付孔２４、挿入孔３７、及び連結孔３６に挿入されることで連結される。
【００４０】
また、ゴルフ練習クラブ１は、第一軸部１０に対する第二軸部２０の撓み量を規制する規制手段を更に具備する。本実施例での規制手段は、第一弾性部材３１と第二弾性部材３２とで曲率半径が異なることにより、挿入孔３７と連結孔３６との中心が長手方向にずれ、連結孔３６と同軸の取付部材３３が挿入孔３７内で相対的にスライドし、挿入孔３７の長手方向の端部に取付部材３３が当接することで撓み量を規制するものである。なお、本実施例での可撓範囲は、基準面６の垂直方向の前後に対して夫々約１５度に設定されている。
【００４１】
また、ゴルフ練習クラブ１は、可撓部３０の周囲に、図２乃至図４に示すように、第一弾性部材３１の両面に重ねた第二弾性部材３２の夫々の外側に平面が内側となるように配置された一対の半円柱状のスペーサ３４と、可撓部３０の周囲に配置されたコイルバネ３５と、を備えている。
【００４２】
スペーサ３４は、樹脂材によって形成され、配置された第一軸本体１１及び第二軸本体２１の向かい合う端面距離より短い長さであると共に曲面の半径は、第一軸部１０及び第二軸部２０の半径より小さいものとなっている。
【００４３】
コイルバネ３５は、外径が第一軸ケース１２及び第二軸ケース２２の外径とほぼ等しく、線径が第一軸ケース１２及び第二軸ケース２２の厚みとほぼ等しく形成されている。また、コイルバネ３５は、コイルバネ３５の中心軸が第一軸部１０及び第二軸部２０の中心軸と同軸状であると共に、第一軸ケース１２と第二軸ケース２２との向かい合う夫々の端面にコイルバネ３５の両端面が当接する。コイルバネ３５の内側には、第二弾性部材３２との隙間にスペーサ３４が配置されているため、中心軸がずれ難くなっている。更に、コイルバネ３５は、第一弾性部材３１及び第二弾性部材３２の外周に配置されているため、円柱状ではない板状の第一弾性部材３１及び第二弾性部材３２を被覆部３で被覆しても、可撓性を維持すると共に被覆部３の外形を円柱状に保持することができる。
【００４４】
また、ゴルフ練習クラブ１の被覆部３は、図１に示すように、一端が塞がれた円筒形状のゴム等の弾性体によって形成されており、被覆状態で、他端の開口側の先端がシャフト部２の先端に位置する。また、被覆部３は、開口側の内面に塗布された接着剤によって、シャフト部２の外周に接着されており、被覆状態が容易にずれないものとなっている。
【００４５】
また、ゴルフ練習クラブ１の取付部材３３は、図２乃至図４に示すように、第一軸本体１１及び第二軸本体２１の軸径より短く、第一取付孔１４及び第二取付孔２４に挿入した場合に、第一軸本体１１及び第二軸本体２１の外周から飛び出さない長さの円柱状に形成されている。
【００４６】
因みに、本実施例における可撓部３０の位置は、撓みの中心が、第二軸部２０の先端（グリップエンド）から約１１０ｃｍの位置としている。また、第一弾性部位材３１及び第二弾性部材３２の厚みは約０．５ｍｍであり、長手方向の全長は約６０ｍｍである。更に、第一軸部１０と第二軸部２０の間の距離は、約２５ｍｍとしている。第一弾性部位材３１及び第二弾性部材３２の第一溝部１３及び第二溝部２３に対する差し込み量は、夫々約１７．５ｍｍとなっている。また、コイルバネの全長は、約１１ｍｍで、線径は、０．５ｍｍである。
【００４７】
本例のゴルフ練習クラブ１を用いる場合、使用者は、引き手と押し手との間に可撓部３０が位置するように、被覆部３（グリップ）を握って使用する。そして、理想的なスイングを行うと、ゴルフ練習クラブ１を握った両手の夫々の握軸が折れ曲がらずに真直ぐと同軸上に推移するので、可撓部３０も撓むことがなく違和感無くスムーズにスイングすることができる。これに対して、理想的ではないスイングを行うと、何れかの手に力が入り過ぎることで両手の夫々の握軸が折れ曲がって可撓部３０が撓んでしまうので、使用者に対して違和感を与えることができる。
【００４８】
このように、本実施形態のゴルフ練習クラブ１によると、グリップに可撓部３０を有することにより、理想的でないスイングをすると可撓部３０が撓んで、使用者に違和感を与えることができるため、使用者に最適な両手の使い方を意識させることができ、使用者が違和感を感じないようにスイングを練習することによって、両手の使い方が最適で、脇が締まり、腰の回転を使った理想的なスイングを会得することができるゴルフ練習クラブ１を提供することができる。
【００４９】
また、本実施形態のゴルフ練習クラブ１によると、可撓部３０を板状の第一弾性部材３１及び第二弾性部材３２とすることにより、簡単な構成で撓み方向を第二軸部２０が第一軸部１０に対して基準面６の垂直方向で且つシャフト部２の軸方向に対して垂直方向とすることができると共に、可撓部３０として、ヒンジと弾性部材とを組合せたものと比較して部品点数を少なくすることができる。
【００５０】
また、本実施形態のゴルフ練習クラブ１によると、打撃面５を有する打撃部４を備えており、一般のゴルフクラブと同様の形態のものとしているので、設置場所（練習場）を必要とせず、携帯してどこでも練習することができると共に、素振りだけではなく、実際にゴルフボールを打撃することができ、弾道を確認しながら理想的な力の入れ具合を練習することができる。
【００５１】
また、本実施形態のゴルフ練習クラブ１によると、可撓部３０に規制手段を備えるため、許容以上の撓みを生じさせる力が働いた場合、撓み量を規制することができ、可撓部３０の破損を防止することができる。更に、この場合、別途、規制手段としての部材を備えなくても規制することができるため、部品点数が減り、安価に製作することができる。なお、本例では、シャフト部２を炭素繊維強化樹脂としているため、第一軸部１０や第二軸部２０を、第一軸本体１１と第一軸ケース１２や、第二軸本体２１と第二軸ケース２２で構成したものを示したが、これに限定するものではなく、シャフト部２をスチールやアルミ等の金属製としても良く、これにより、シャフトに対して第一軸本体１１や第二軸本体２１に相当するものを直接形成することができるので、ゴルフ練習クラブ１を構成する部品点数を更に少なくすることができ、より安価に製作することができる。
【００５２】
また、本実施形態のゴルフ練習クラブ１によると、第一弾性部材３１及び第二弾性部材３２の外周にコイルバネ３５が配置されているため、可撓部３０が板状の第一弾性部材３１及び第二弾性部材３２であっても、可撓性を維持しながら被覆部３の外形を円柱状に保持することが可能となり、一般のゴルフクラブと比較しても違和感無くグリップを握ることができる。
【００５３】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００５４】
すなわち、本実施形態のゴルフ練習クラブ１は、第一軸部１０が、第一軸本体１１と第一軸ケース１２とで別体のものを示したが、これに限定されるものではなく、一体でも良い。更には、第一軸部１０とシャフト部２が一体のものでも良い。
【００５５】
また、本実施形態のゴルフ練習クラブ１は、可撓部３０の可撓範囲を約１５度に設定したものを示したが、これに限定されるものではなく、約１０度〜約２０度の範囲の中で設定すれば良い。これよりも少ないと使用者が撓みを認識し難く、これよりも多いと両手の夫々の握軸が折れ過ぎてスイングの練習がし難くなる。
【００５６】
また、本実施形態のゴルフ練習クラブ１は、可撓部３０として、第二弾性部材３２を第一弾性部材３１の両面に夫々３つ重ねるものを示したが、これに限定されるものではなく、スイングの負荷に対する耐久性を有し、撓み後、即座に第二軸部２０を第一軸部１０の同軸状に復帰させる弾性力を備えるものであれば良い。
【００５７】
また、本実施形態のゴルフ練習クラブ１は、被覆部３が、ゴム等の弾性体によって形成されるものを示したが、これに限定されるものではなく、例えば、布、皮等の滑り難いものであれば良い。また、形状においてもテープ状のものを巻いて形成しても良い。
【００５８】
また、本実施形態のゴルフ練習クラブ１は、被覆部３の表面に何も描いていないものを示したが、これに限定されるものではなく、図５に示すように、被覆部３の表面に可撓部３０の位置を示すマーキング７を備えるようにしても良い。このマーキング７は、被覆部３の表面に線を描いたり、テープを貼ったりすることで形成されている。
【００５９】
また、本実施形態のゴルフ練習クラブ１は、第一溝部１３及び第二溝部２３が、第一軸本体１１及び第二軸本体２１の端面の中央近傍に溝形状に形成したものを示したが、これに限定されるものではなく、円柱の半分を削り取った半円柱状に形成したものでも良い。この場合、第一弾性部材３１及び第二弾性部材３２は、第一溝部１３及び第二溝部２３によって、重なり方向の一方への位置が制限されないため、例えば、取付部材３３を第一取付孔１４又は第二取付孔２４から延びる鍔付の円柱形状のものとしたり、ボルト等の螺子部材として、位置を制限しても構わない。
【００６０】
なお、上述した本実施形態のゴルフ練習クラブ１は、可撓部３０の撓みによって、使用者の両手に違和感を与えるものを示したが、例えば、可撓部３０が撓むと同時に音を発する発音手段を備えるものでも構わない。発音手段を備えることにより、ゴルフクラブを握った両手の夫々の握軸が折れ曲がったことを両手の違和感と共に、聴覚的に認識させることができ、スイングにおいて撓んだ位置をより判り易く認識することができる。
【００６１】
また、上述したゴルフ練習クラブ１で示した構成（機構）を野球のバットやテニスのラケットに適用しても良く、例えば、野球のバットに適用した場合、脇が締まり腰の回転を用いたスイング、つまり、内角球に強くなるスイングを練習することができる。また、野球のバットに適用した場合では、可撓部３０の撓み方向（スイング方向）を示すマーキングを更に備えることが望ましく、これにより、スイングの練習を正しく行うことができる。
【符号の説明】
【００６２】
１  ゴルフ練習クラブ
２  シャフト部
３  被覆部
４  打撃部
５  打撃面
６  基準面
１０  第一軸部
１１  第一軸本体
１４  第一取付孔
２０  第二軸部
２１  第二軸本体
２４  第二取付孔
３０  可撓部
３１  第一弾性部材
３２  第二弾性部材
３３  取付部材
３６  連結孔
３７  挿入孔
【先行技術文献】
【特許文献】
【００６３】
【特許文献１】特開平１１−９９２３３号公報
【特許文献２】特開２００７−２７５１６７号公報
【図１】
2011156242.tif 000003
【図２】
2011156242.tif 000004
【図３】
2011156242.tif 000005
【図４】
2011156242.tif 000006
【図５】
2011156242.tif 000007
【手続補正書】
【提出日】平成22年12月16日(2010.12.16)
【手続補正１】
【補正対象書類名】特許請求の範囲
【補正対象項目名】全文
【補正方法】変更
【補正の内容】
【特許請求の範囲】
【請求項１】
ボールを打撃する位置におけるスイング方向と直交した基準面に対して所定角度とされた打撃面を有する打撃部と、
該打撃部から前記基準面に沿って所定方向へ延びるシャフト部と、
該シャフト部の先端から同軸状に延設され先端に取付部を備える第一軸部と、
該第一軸部の先端から所定距離離れて同軸状に配置され基端に取付部を備える第二軸部と、
該第二軸部及び前記第一軸部の前記取付部に夫々取付けられる棒状の取付部材と、
該取付部材を介して前記第二軸部の基端と前記第一軸部の先端とを連結し、前記第二軸部が前記第一軸部に対して前記基準面の垂直方向で且つ前記シャフト部の軸方向に対して垂直方向へ撓むように弾性変形可能とされ、両端に前記取付部材が挿入される円形状の連結孔を有し前記基準面と平行に前記シャフト部の軸方向へ延びた板状の第一弾性部材、及び該第一弾性部材の前記連結孔と同軸状に配置された前記取付部材が挿入される前記シャフト部の軸方向へ延びた長孔状の挿入孔を有し前記第一弾性部材と平行に配置される少なくとも一つの板状の第二弾性部材を備えた可撓部と、
該可撓部の撓み量を、前記第二弾性部材における前記挿入孔の長手方向の端部が、前記取付部材に当接することで規制する規制手段と、
該規制手段及び前記可撓部を含む前記第二軸部の先端から前記シャフト部の先端までの外周を被覆しグリップを形成する被覆部と
を具備することを特徴とするゴルフ練習クラブ。
【手続補正２】
【補正対象書類名】明細書
【補正対象項目名】０００８
【補正方法】変更
【補正の内容】
【０００８】
上記の課題を解決するため、本発明のゴルフ練習クラブは、「ボールを打撃する位置におけるスイング方向と直交した基準面に対して所定角度とされた打撃面を有する打撃部と、該打撃部から前記基準面に沿って所定方向へ延びるシャフト部と、該シャフト部の先端から同軸状に延設され先端に取付部を備える第一軸部と、該第一軸部の先端から所定距離離れて同軸状に配置され基端に取付部を備える第二軸部と、該第二軸部及び前記第一軸部の前記取付部に夫々取付けられる棒状の取付部材と、該取付部材を介して前記第二軸部の基端と前記第一軸部の先端とを連結し、前記第二軸部が前記第一軸部に対して前記基準面の垂直方向で且つ前記シャフト部の軸方向に対して垂直方向へ撓むように弾性変形可能とされ、両端に前記取付部材が挿入される円形状の連結孔を有し前記基準面と平行に前記シャフト部の軸方向へ延びた板状の第一弾性部材、及び該第一弾性部材の前記連結孔と同軸状に配置された前記取付部材が挿入される前記シャフト部の軸方向へ延びた長孔状の挿入孔を有し前記第一弾性部材と平行に配置される少なくとも一つの板状の第二弾性部材を備えた可撓部と、該可撓部の撓み量を、前記第二弾性部材における前記挿入孔の長手方向の端部が、前記取付部材に当接することで規制する規制手段と、該規制手段及び前記可撓部を含む前記第二軸部の先端から前記シャフト部の先端までの外周を被覆しグリップを形成する被覆部とを具備する」ことを特徴として主に構成されている。
【手続補正３】
【補正対象書類名】明細書
【補正対象項目名】００１１
【補正方法】変更
【補正の内容】
【００１１】
また、可撓部は、インパクトの位置におけるシャフト部に対して基準面の垂直方向（スイング方向とも称す）にだけ撓むと共に、弾性変形させる荷重が無くなった場合、第二軸部を第一軸部の同軸状に復帰させるものである。
【手続補正４】
【補正対象書類名】明細書
【補正対象項目名】００１９
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】００２８
【補正方法】削除
【補正の内容】